(57)【特許請求の範囲】
【請求項１】
印字用紙への書き込み台を備える印刷装置において、
プラテンと前記書き込み台を一体的に支持する移動可能な可動手段を備えることを特徴とする印刷装置。
【請求項２】
前記可動手段は、前記プラテンおよび書き込み台を回動動作可能とするアーム部材であることを特徴とする請求項１記載の印刷装置。
【請求項３】
印字用紙の巻き取り手段を備えることを特徴とする請求項１または２記載の印刷装置。
【請求項４】
印字用紙への書き込み台を備える印刷装置において、
プラテンと前記書き込み台とを一体的に支持して、プラテンおよび書き込み台を回動動作可能とするアーム部材よりなる第１の可動手段と、
この第１の可動手段を回動させずに印刷可能位置にセットしてジャーナルを印刷するジャーナル印刷手段と、
この印刷されたジャーナルを巻き取る巻き取り手段と、
プラテンを回動動作可能とするアーム部材よりなる第２の可動手段と、
この第２の可動手段を回動させずに印刷可能位置にセットしてレシートを印刷するレシート印刷手段と、
を備えることを特徴とする印刷装置。
【発明の詳細な説明】
【０００１】
【発明の属する技術分野】
本発明は、キャッシュレジスタに実装されるレシートプリンタやジャーナルプリンタ等の印刷装置に関する。
【０００２】
【従来の技術】
キャッシュレジスタにはレシートに印字するプリンタが備えられている。
図４はキャッシュレジスタに実装された従来のレシートプリンタ部分を示したもので、４０はキャッシュレジスタ本体、４１はドロア、４２はプリンタカバー、４３はレシートプリンタ、４４はプラテンローラ、４５はオートカッタ、４６はプリンタ固定台、４７はロール紙収納部、Ｐはロール紙（印字用紙）である。レシートプリンタ４３はサーマルプリンタであり、図示しない印字ヘッド（サーマルヘッド）がロール紙Ｐに対しプラテンローラ４４に沿って印字する。
【０００３】
次に、図５は紙挿入性を改善した従来のクラムシェルタイプのプリンタ部分を示したもので、５０はキャッシュレジスタ本体、５１はドロア、５２はプリンタカバー、５３はレシートプリンタ、５４はプラテンローラ、５５はオートカッタ、５６はプリンタ固定台、５７はロール紙収納部である。
図示のように、プラテンローラ５４をプリンタカバー５２に備えることにより、紙挿入性を改善したものである。すなわち、プリンタカバー５２を開けると、プラテンローラ５４がレシートプリンタ５３から上方に退避動作するので、ロール紙収納部５７にセットしたロール紙Ｐをレシートプリンタ５３に容易に挿入できる。
【０００４】
【発明が解決しようとする課題】
従来のクラムシェルタイプのプリンタは、図５のように、レシートを放出する場合は紙挿入性も良いが、ジャーナル保存のための巻き取りには対応できなかった。
図６はジャーナル保存のための巻き取りを考慮した従来のジャーナルプリンタ部分を示したもので、６０はキャッシュレジスタ本体、６１はドロア、６３はジャーナルプリンタ、６４はプラテンローラ、６５は書き込み台、６６はプリンタ固定台、６７はロール紙収納部、６８は巻き取りプーリである。
すなわち、図５のクラムシェルタイプのプリンタでは、図６のようなジャーナル保存のための巻き取りを考慮すると、対応できないものであった。
【０００５】
本発明の課題は、印字用紙への書き込み台を備える印刷装置において、紙挿入の容易性を確保することである。
【０００６】
【課題を解決するための手段】
以上の課題を解決するため、請求項１記載の発明は、
例えば、図１に示すように、
印字用紙Ｐへの書き込み台１５を備える印刷装置において、
プラテン１４と前記書き込み台１５を一体的に支持する移動可能な可動手段１９を備えることを特徴とする。
【０００７】
請求項１記載の発明によれば、可動手段の動作によりプラテンと書き込み台が一体的に移動するので、書き込み台を備えながら、紙挿入の容易性を確保できる。
【０００８】
請求項２記載の発明は、
請求項１記載の印刷装置であって、
例えば、図１に示すように、
前記可動手段１９は、前記プラテン１４および書き込み台１５を回動動作可能とするアーム部材であることを特徴とする。
【０００９】
請求項３記載の発明は、
請求項１または２記載の印刷装置であって、
例えば、図１に示すように、
印字用紙の巻き取り手段１８を備えることを特徴とする。
【００１０】
請求項３記載の発明によれば、請求項１記載の発明による紙挿入の容易性を確保した上で、ジャーナル保存のための巻き取りが行える。
【００１１】
そして、請求項４記載の発明は、
例えば、図３に示すように、
印字用紙への書き込み台２５を備える印刷装置において、
プラテン２４と前記書き込み台２５とを一体的に支持して、プラテン２４および書き込み台２５を回動動作可能とするアーム部材よりなる第１の可動手段２９と、
この第１の可動手段２９を回動させずに印刷可能位置にセットしてジャーナルを印刷するジャーナル印刷手段２３と、
この印刷されたジャーナルを巻き取る巻き取り手段２８と、
プラテン３４を回動動作可能とするアーム部材よりなる第２の可動手段３９と、
この第２の可動手段３９を回動させずに印刷可能位置にセットしてレシートを印刷するレシート印刷手段３３と、
を備えることを特徴とする。
【００１２】
請求項４記載の発明によれば、ジャーナル印刷手段側において、第１の可動手段のアーム部材の動作によりプラテンと書き込み台が一体的に回動するので、紙挿入の容易性を確保できて、ジャーナル保存のための巻き取りが行える。
また、レシート印刷手段側においても、第２の可動手段のアーム部材の動作によりプラテンが回動するので、紙挿入の容易性を確保できる。
【００１３】
【発明の実施の形態】
以下、図を参照して本発明の実施の形態を詳細に説明する。
【００１４】
〔第１の実施の形態〕
先ず、印刷装置はキャッシュレジスタに実装されるジャーナルプリンタ（ジャーナル印刷手段）である。すなわち、図１に示すように、キャッシュレジスタ本体１０にジャーナルプリンタ１３が装備されており、１１はドロア、１４はプラテンローラ（プラテン）、１５は書き込み台、１６はジャーナルプリンタ１３を載置して固定するプリンタ固定台、１７はドロア１１に凹部を設けその下部に回転ローラ（図示せず、また他の実施の形態の説明では省略するが、以下同様）を設けたロール紙収納部、１８はドロア１１上に設けられた支持部材（図示せず、また他の実施の形態の説明では省略するが、以下同様）に取付けられ、プリンタ１３のロール紙送出動作にともなって回転しロール紙を巻き取る巻き取りプーリ（巻き取り手段）である。
そして、ジャーナルプリンタ１３の直上に配置される書き込み台１５と、このジャーナル内容修正用の書き込み台１５の直下に位置するプラテンローラ１４とを、移動可能な可動手段、具体的には、回動動作するアーム部材１９に一体化して備えたものである。
このアーム部材１９は、書き込み台１５の側面に溶着、接着などによって固着するとともに、プラテンローラ１４をを支持軸ｊ１によって回転自在に支持したもので、左右一対用意され、ブラケット１１９に支持軸ｊ２によって回転自在に組み付けられている（他の実施の形態の説明では省略するが、以下同様）。なお、書き込み台１５の側面をアーム部材１９に固定するため、アーム部材１９にＬ字状の固定部を設けて固着してもよく、更にアーム部材１９に穴をあけ、その穴位置と対応する書き込み台１５の位置にネジ山を作りネジで固定するようにしてもよく、これらの固定方法によれば書き込み台１５をアーム部材１９に、より強固に固定することができる（他の実施の形態の説明では省略するが、以下同様）。
【００１５】
以上のアーム部材１９をジャーナルプリンタ１３から上方に回動させて後方の巻き取りプーリ１８側に回動させることで、仮想線で図示したように、書き込み台１５とプラテンローラ１４はジャーナルプリンタ１３の後方に退避状態となる。
このように、一般に紙挿入時に障害となる書き込み台１５がプラテンローラ１４と一体にジャーナルプリンタ１３から後方に退避動作するので、ロール紙収納部１７にセットしたロール紙Ｐをジャーナルプリンタ１３に容易に挿入できる。
【００１６】
紙挿入後は、図示実線のように、アーム部材１９を手前側に回動させることで、書き込み台１５とプラテンローラ１４をジャーナルプリンタ１３側の所定位置に復帰させ印刷可能位置にセットする（以下のジャーナルプリンタについても同様）。この状態で、ジャーナルプリンタ１３で印刷されたロール紙Ｐをプラテンローラ１４から書き込み台１５上に沿わせて後方の巻き取りプーリ１８に巻き取りできる。
従って、オペレータによる書き込み台１５での内容修正後のジャーナルを保存できる。
【００１７】
〔第２の実施の形態〕
この実施形態は、前述した第１の実施形態では書き込み台１５とプラテンローラ１４を左右一対のアーム部材１９で両持ち支持していたのに対し、図２に示すように、１本のアーム部材１９により書き込み台１５とプラテンローラ１４を片持ち支持したものである。
このように、書き込み台１５とプラテンローラ１４を１本のアーム部材１９で片持ち支持することにより、紙挿入性を更に良くできる。
【００１８】
〔第３の実施の形態〕
この実施形態は、図３に示すように、ジャーナルプリンタ（ジャーナル印刷手段）２３とレシートプリンタ（レシート印刷手段）３３を左右並列に備えるキャッシュレジスタに関するもので、２０はキャッシュレジスタ本体、２１はドロア、２４はプラテンローラ（プラテン）、２５は書き込み台、２６はプリンタ固定台、２８は巻き取りプーリ（巻き取り手段）、３３はレシートプリンタ、３４はプラテンローラ（プラテン）、３５はオートカッタ、３６はプリンタ固定台、３７はロール紙収納部である。
すなわち、図示したように、ジャーナルプリンタ２３のプラテンローラ２４と書き込み台２５をアーム部材（第１の可動手段）２９に一体化支持し、レシートプリンタ３３のプラテンローラ３４をアーム部材（第２の可動手段）３９に一体化支持したものである。
【００１９】
具体的には、先ず、ジャーナルプリンタ２３側において、プラテンローラ２４と書き込み台２５を１本のアーム部材２９で片持ち支持している。そして、レシートプリンタ３３側において、プラテンローラ３４を１本の支持アーム３９で片持ち支持している。なお、１２９、１３９はブラケットである。
こうして、並列のジャーナルプリンタ２３およびレシートプリンタ３３の何れにおいても、紙挿入性の確保が可能である。
また、このような構成にしたものにおいてもジャーナルプリンタ２３およびレシートプリンタ３３を印刷可能位置にセットすることで各ロール紙Ｐにジャーナル及びレシート印刷がなされる。
【００２０】
なお、以上の実施形態では、プラテンおよび書き込み台を一体的に支持する可動手段としてアーム部材を挙げたが、これに限らず、可動手段としてはプラテンおよび書き込み台を一体的に支持して移動する機能を具備するものであればどのような構成のものでも良い。
【００２１】
【発明の効果】
請求項１記載の発明によれば、可動手段の動作でプラテンと書き込み台が一体的に移動するため、書き込み台を備えながら、紙挿入の容易性を確保できる。
【００２２】
請求項３記載の発明によれば、請求項１記載の発明のように、紙挿入の容易性を確保できることに加え、ジャーナル保存のための巻き取りが行えるといった利点が得られる。
【００２３】
そして、請求項４記載の発明によれば、ジャーナル印刷手段側において、第１の可動手段のアーム部材の動作でプラテンと書き込み台が一体的に回動するため、紙挿入の容易性を確保できて、ジャーナル保存のための巻き取りが行える。
また、レシート印刷手段側においても、第２の可動手段のアーム部材の動作でプラテンが回動するため、紙挿入の容易性を確保できる。
【図面の簡単な説明】
【図１】本発明を適用した第１の実施の形態の構成を示すもので、ジャーナルプリンタ部分を示した概略斜視図である。
【図２】本発明を適用した第２の実施の形態の構成を示すもので、ジャーナルプリンタ部分を示した概略斜視図である。
【図３】本発明を適用した第３の実施の形態の構成を示すもので、ジャーナルプリンタ部分を示した概略斜視図である。
【図４】キャッシュレジスタに実装された従来のレシートプリンタ部分を示した概略斜視図である。
【図５】紙挿入性を改善した従来のクラムシェルタイプのプリンタ部分を示した概略斜視図である。
【図６】ジャーナル保存のための巻き取りを考慮した従来のジャーナルプリンタ部分を示した概略斜視図である。
【符号の説明】
１０  キャッシュレジスタ本体
１３  印刷装置（ジャーナル印刷手段）
１４  プラテン（プラテンローラ）
１５  書き込み台
１６  プリンタ固定台
１７  ロール紙収納部
１８  巻き取り手段（巻き取りプーリ）
１９  可動手段（アーム部材）
２０  キャッシュレジスタ本体
２３  印刷装置（ジャーナル印刷手段）
２４  プラテン（プラテンローラ）
２５  書き込み台
２６  プリンタ固定台
２８  巻き取り手段（巻き取りプーリ）
２９  第１の可動手段（アーム部材）
３０  キャッシュレジスタ本体
３３  印刷装置（レシート印刷手段）
３４  プラテン（プラテンローラ）
３６  プリンタ固定台
３７  ロール紙収納部
３９  第２の可動手段（アーム部材）
Ｐ  印字用紙（ロール紙）
【図１】
0003823754.tif 000002
【図２】
0003823754.tif 000003
【図３】
0003823754.tif 000004
【図４】
0003823754.tif 000005
【図５】
0003823754.tif 000006
【図６】
0003823754.tif 000007